【手続補正書】
【提出日】平成21年7月31日(2009.7.31)
【手続補正１】
【補正対象書類名】特許請求の範囲
【補正対象項目名】全文
【補正方法】変更
【補正の内容】
【特許請求の範囲】
【請求項１】
記録媒体を外周面に保持し、搬送する回転可能なドラムと、
複数のノズルからインクを吐出して前記記録媒体に印字を行なう印字ヘッドと、
前記印字ヘッドを保持するヘッド保持部材と、
画像記録時に前記ヘッド保持部材を支持し、前記印字ヘッドと前記ドラムの外周面との間隔を所定の間隔に保つ支持部材と、を備え、
前記支持部材を前記ドラムの軸に係合させることを特徴とする画像記録装置。
【請求項２】
前記ヘッド保持部材と前記支持部材と前記ドラムとは、熱膨張率が同じ材質で構成されていることを特徴とする請求項１に記載の画像記録装置。
【請求項３】
前記印字ヘッドの前記複数のノズルにより形成されるノズル面をメンテナンスするメンテナンスユニットと、
前記メンテナンスユニットを保持するメンテナンスユニット保持部材と、
をさらに備え、
前記メンテナンスユニット保持部材を前記ドラムの軸に係合させることを特徴とする請求項１、又は２に記載の画像記録装置。
【請求項４】
記録媒体を外周面に保持し、搬送する回転可能なドラムと、
前記記録媒体にインクを吐出し、画像記録を行うラインヘッドと、
前記ラインヘッドを保持するヘッド保持部材と、
画像記録時に前記ヘッド保持部材を支持し、前記ラインヘッドと前記ドラムの外周面との間隔を所定の間隔に保つ支持部材と、
前記ラインヘッドのメンテナンスを行うメンテナンスユニットと、
前記メンテナンスユニットを保持するメンテナンスユニット保持部材と、
前記ヘッド保持部材を前記ドラムの半径方向に移動させ、前記ヘッド保持部材の位置を前記支持部材に支持された記録位置と前記支持部材による支持が解除され、前記ラインヘッドと前記ドラムの外周面との間に前記メンテナンスユニットを挿入する空間が形成されたメンテナンス位置とにするヘッド移動機構と、
前記メンテナンスユニット保持部材を前記ドラムの外周面に沿って移動させ、前記メンテナンスユニットの位置を前記ラインヘッドから退避した退避位置と前記空間内で前記ランヘッドと対向したメンテナンス位置とにするメンテナンスユニット移動機構と、を備え、
前記支持部材、及び前記メンテナンスユニット保持部材を前記ドラムの軸に係合させることを特徴とする画像記録装置。
【請求項５】
前記ヘッド移動機構を駆動する駆動源と前記メンテナンスユニット移動機構を駆動する駆動源とが同一であることを特徴とする請求項４記載の画像記録装置。
【手続補正２】
【補正対象書類名】明細書
【補正対象項目名】０００６
【補正方法】変更
【補正の内容】
【０００６】
しかしながら、上記特許文献１では、以下の問題がある。
すなわち、ヘッド保持部材は画像記録装置の本体フレームに固定された昇降手段によって保持され、ドラムは本体と一体的なブラケットに回転支持されている。この構成ではヘッド保持部材とドラムの相対位置は、多数の部品の介在によって決定されることになる。このため、印字ヘッドのノズル面からドラム上の記録媒体の印刷面までのギャップにばらつきが生じ、例えばギャップが拡大した場合はインクミストの発生を引き起こし、印字品質が低下する。
【手続補正３】
【補正対象書類名】明細書
【補正対象項目名】０００７
【補正方法】変更
【補正の内容】
【０００７】
一方、ギャップが小さくなると、記録媒体が印字ヘッドのノズルに当接等することによりジャムの発生や、ノズル面の擦れによる印刷面の汚れ等が発生し、通紙不良や印字品質の低下が問題となる。
【手続補正４】
【補正対象書類名】明細書
【補正対象項目名】０００８
【補正方法】変更
【補正の内容】
【０００８】
また、本体フレームの変形は、装置を輸送する際の振動や衝撃でも起き易く、また装置を設置する際の床の平面度によっても起き得る。特許文献１では、印刷の際には本体フレームに設けた３点支持機構によって、ヘッド保持部材を保持し、例えば図１４（ａ）に示す構成である。すなわち、１点の支持部１０２ａを有する本体フレームの側板１０２と、２点の支持部１０３ａ，１０３ｂを有する本体フレームの側板１０３とでヘッド保持部材１００を保持している。
【手続補正５】
【補正対象書類名】明細書
【補正対象項目名】０００９
【補正方法】変更
【補正の内容】
【０００９】
この時、例えば本体フレームの側板１０２と１０３間にねじれが生じた場合、装置の組み立て時と異なる結果を生じる。すなわち、同図（ｂ）に示すように、ねじれにより、本体フレームの側板１０２が実線で示す位置になり、側板１０３が点線で示す位置になると、ヘッド保持部材１００に配設された印字ヘッドのノズル面とドラム１０１上の記録媒体の印刷面の相対位置が変化する。
【手続補正６】
【補正対象書類名】明細書
【補正対象項目名】００１０
【補正方法】変更
【補正の内容】
【００１０】
このため、各色のヘッドのインク吐出面からドラムの外周面に保持した記録媒体の記録面までのギャップが変化し、色ずれの発生等の原因となる。
【手続補正７】
【補正対象書類名】明細書
【補正対象項目名】００１１
【補正方法】変更
【補正の内容】
【００１１】
そこで、本発明はヘッド保持部材とドラムの相対位置のばらつきを低減し、印字品質と通紙性能を向上した画像記録装置を提供することを目的とする。
【手続補正８】
【補正対象書類名】明細書
【補正対象項目名】００１２
【補正方法】変更
【補正の内容】
【００１２】
前述目的を達成するために本発明の画像記録装置は、記録媒体を外周面に保持し、搬送する回転可能なドラムと、複数のノズルからインクを吐出して記録媒体に印字を行なう印字ヘッドと、印字ヘッドを保持するヘッド保持部材と、画像記録時にヘッド保持部材を支持し、印字ヘッドとドラムの外周面との間隔を所定の間隔に保つ支持部材と、を備え、支持部材をドラムの軸に係合させることを特徴とする。
【手続補正９】
【補正対象書類名】明細書
【補正対象項目名】００１３
【補正方法】変更
【補正の内容】
【００１３】
また、本発明の画像記録装置は、記録媒体を外周面に保持し、搬送する回転可能なドラムと、記録媒体にインクを吐出し、画像記録を行うラインヘッドと、ラインヘッドを保持するヘッド保持部材と、画像記録時にヘッド保持部材を支持し、ラインヘッドとドラムの外周面との間隔を所定の間隔に保つ支持部材と、ラインヘッドのメンテナンスを行うメンテナンスユニットと、メンテナンスユニットを保持するメンテナンスユニット保持部材と、ヘッド保持部材をドラムの半径方向に移動させ、ヘッド保持部材の位置を支持部材に支持された記録位置と支持部材による支持が解除され、ラインヘッドとドラムの外周面との間にメンテナンスユニットを挿入する空間が形成されたメンテナンス位置とにするヘッド移動機構と、メンテナンスユニット保持部材をドラムの外周面に沿って移動させ、メンテナンスユニットの位置をラインヘッドから退避した退避位置と空間内でランヘッドと対向したメンテナンス位置とにするメンテナンスユニット移動機構と、を備え、支持部材、及びメンテナンスユニット保持部材をドラムの軸に係合させることを特徴とする。
【手続補正１０】
【補正対象書類名】明細書
【補正対象項目名】００１４
【補正方法】変更
【補正の内容】
【００１４】
本発明によれば、ヘッド保持部材とドラムの相対位置のばらつきを低減し、印字品質と通紙性能を向上した画像記録装置を提供することができる。